(57)【特許請求の範囲】
【請求項１】
原券を搬送する第１の搬送手段と、
この第１の搬送手段によって搬送された原券に情報を記録して記録券とする記録手段と、
この記録手段によって情報が記録された記録券を搬送する第２の搬送手段と、
この第２の搬送手段によって搬送される記録券が詰まったときこの詰まりを検出する検出手段と、
この検出手段が記録券の詰まりを検出したときは、前記第１の搬送手段により原券を搬送させて該原券により、前記詰まった状態にある記録券を押し出して前記第２の搬送手段により一緒に搬送させる制御手段と、
前記第２の搬送手段によって一緒に搬送される原券および記録券を回収する回収手段と、
を具備してなることを特徴とする券類処理装置。
【請求項２】
原券を搬送する第１の搬送手段と、
この第１の搬送手段によって搬送された原券に情報を記録して記録券とする記録手段と、
この記録手段によって情報が記録された記録券を搬送する第２の搬送手段と、
この第２の搬送手段によって搬送される記録券が詰まったときこの詰まりを検出する検出手段と、
この検出手段が記録券の詰まりを検出したときは、前記第１の搬送手段により原券を搬送させて該原券により、前記詰まった状態にある記録券を押し出して前記第２の搬送手段により一緒に搬送させ、該搬送が所定時間内に実行されないときは、前記原券の搬送を繰り返し行わせる制御手段と、
前記第２の搬送手段によって一緒に搬送される原券および記録券を回収する回収手段と、
を具備してなることを特徴とする券類処理装置。
【請求項３】
原券を搬送する第１の搬送手段と、
この第１の搬送手段によって搬送された原券に情報を記録して記録券とする記録手段と、
この記録手段によって情報が記録された記録券を搬送する第２の搬送手段と、
この第２の搬送手段によって搬送される記録券が詰まったときこの詰まりを検出する検出手段と、
この検出手段が記録券の詰まりを検出したときは、前記第１の搬送手段により原券を搬送させて該原券により、前記詰まった状態にある記録券を押し出して前記第２の搬送手段により一緒に搬送させる制御手段と、
前記第２の搬送手段によって一緒に搬送される原券および記録券を回収する回収手段と、
この回収手段により前記原券および記録券を回収するまでの間を前記記録券の発行動作中として表示する表示手段と、
具備してなることを特徴とする券類処理装置。
【請求項４】
原券を搬送する第１の搬送手段と、
この第１の搬送手段によって搬送された原券に情報を記録して記録券とする記録手段と、
この記録手段によって情報が記録された記録券を搬送する第２の搬送手段と、
この第２の搬送手段によって搬送される記録券が詰まったときこの詰まりを検出する検出手段と、
この検出手段が記録券の詰まりを検出したときは、前記第１の搬送手段により原券を搬送させて該原券により、前記詰まった状態にある記録券を押し出して前記第２の搬送手段により一緒に搬送させる制御手段と、
前記第２の搬送手段によって一緒に搬送される原券および記録券を回収する回収手段と、
前記第２の搬送手段によって前記原券および記録券を一緒に搬送することができないときは、動作異常として表示する表示手段と、
具備してなることを特徴とする券類処理装置。
【請求項５】
原券を搬送する第１の搬送手段と、
この第１の搬送手段によって搬送された原券に情報を記録して記録券とする記録手段と、
この記録手段によって情報が記録された記録券を搬送する第２の搬送手段と、
この第２の搬送手段によって搬送される記録券が詰まったときこの詰まりを検出する検出手段と、
この検出手段が記録券の詰まりを検出したときは、前記第１の搬送手段から原券を搬送させて該原券により、前記詰まった状態にある記録券を押し出して前記第２の搬送手段により一緒に搬送させる制御手段と、
前記第２の搬送手段によって一緒に搬送される原券および記録券を回収する回収手段とを具備し、
前記原券および記録券の回収後、前記詰まった記録券に記録した情報と同一の情報を原券に記録して連続的に発行することを特徴とする券類処理装置。
【請求項６】
原券を搬送する第１の搬送工程と、
この第１の搬送工程によって搬送された原券に情報を記録して記録券とする記録工程と、
この記録工程によって情報が記録された記録券を搬送する第２の搬送工程と、
この第２の搬送工程によって搬送される記録券が詰まったときこの詰まりを検出する検出工程と、
この検出工程が記録券の詰まりを検出したときは、前記第１の搬送工程により原券を搬送させて該原券により、前記詰まった状態にある記録券を押し出して前記第２の搬送工程により一緒に搬送させる制御工程と、
前記第２の搬送工程によって一緒に搬送される原券および記録券を回収する回収工程と、
を具備してなることを特徴とする券類処理方法。
【請求項７】
第１および第２の券を供給する供給手段と、
この供給手段により供給される前記第１及び第２の券を搬送する搬送手段と、
前記供給手段を駆動し前記第１の券を前記搬送手段に供給させる第１の制御手段と、
前記搬送手段上に設けられ、前記搬送手段による前記第１の券の搬送状態を検知する検知手段と、
この検知手段により、前記搬送手段により前記第１の券が搬送されず前記搬送手段上に第１の券が詰まったことを検出する検出手段と、
この検出手段により前記第１の券が詰まったことを検出したとき、前記搬送手段上に詰まっている前記第１の券を押し出すために、前記供給手段を駆動し、前記第２の券を前記搬送手段に供給させる第２の制御手段と、
を具備することを特徴とする券類処理装置。
【請求項８】
第１および第２の券を供給する供給手段と、
この供給手段により供給される前記第１及び第２の券を搬送する搬送手段と、
この搬送手段上に設けられ、前記第１及び第２の券に情報を記録する記録手段と、
前記供給手段を駆動し前記第１の券を前記搬送手段に供給させる第１の制御手段と、
前記搬送手段上に設けられ、前記搬送手段による前記第１の券の搬送状態を検知する検知手段と、
この検知手段により、前記搬送手段により前記第１の券が搬送されず前記搬送手段上に第１の券が詰まったことを検出する検出手段と、
この検出手段により前記第１の券が詰まったことを検出したとき、前記搬送手段上に詰まっている前記第１の券を押し出すために、前記供給手段を駆動し、前記第２の券を前記搬送手段に供給させる第２の制御手段と、
この第２の制御手段により供給された前記第２の券に対しては前記記録手段の駆動を抑止制御する第３の制御手段と、
を具備してなることを特徴とする券類処理装置。
【発明の詳細な説明】
【０００１】
【発明の属する技術分野】
本発明は、駅等に設置されて乗車券等を発行する券発行機として適用される券類処理装置および券類処理方法に関する。
【０００２】
【従来の技術】
券発行機は、ロール紙を装填する装填部を備え、この装填されたロール紙をフィードローラにより繰り出して搬送ローラの回転により搬送路に沿って搬送するようになっている。
【０００３】
搬送路中には、ロール紙を所定寸法にカットするカット部、このカット部によりカットされた券紙の一面側に所定事項を印字する印字部、この印字部で印字された券紙の他面側に磁気情報を記録する磁気記録部、この磁気記録部で磁気記録された磁気情報を読み取る磁気読取部等が配設されている。
【０００４】
券を発行する場合には、装填部からロール紙が繰り出され、センサによる検知に基づいてこのロール紙の先端部が印字部に達したところで停止される。この停止されたロール紙はカット部により、所定の長さ（３０mm）にカットされたのち券紙（原券）として印字部へ送り込まれる。
【０００５】
ここで、券紙はその一面側に情報が印字され、ついで、書込磁気ヘッド、読取磁気ヘッドへ送られて磁気情報が書き込まれるとともに読み取られて、取出口に排出されるようになっている。
【０００６】
ところで、印字部から送り出された券紙（記録券）はその搬送途中で詰まってしまうことがあり、特に、高温多湿の環境において、軽度の券詰まりが発生することが多い。
この券詰まりは、センサ間の異常監視タイマで検出され、異常が検出された場合には、発券動作を停止していた。
【０００７】
【発明が解決しようとする課題】
しかしながら、従来においては、搬送系で、券詰まりが発生した際には、その状態で動作を停止して、その時の動作状態、センサ状態を制御ＡＰＬに送信してたのち、異常警報を発して係員の手により、詰まった券を排除していたため、非常に手間が掛り、面倒なものとなっていた。
【０００８】
本発明は上記実情に鑑みなされたもので、記録券が搬送系に詰まった場合には、自動的に詰まった券を排除できるようにした券類処理装置および券類処理方法を提供することを目的とする。
【０００９】
【課題を解決するための手段】
本発明は上記課題を解決するため、請求項１記載のものは、原券を搬送する第１の搬送手段と、この第１の搬送手段によって搬送された原券に情報を記録して記録券とする記録手段と、この記録手段によって情報が記録された記録券を搬送する第２の搬送手段と、この第２の搬送手段によって搬送される記録券が詰まったときこの詰まりを検出する検出手段と、この検出手段が記録券の詰まりを検出したときは、前記第１の搬送手段から原券を搬送させて該原券により、前記詰まった状態にある記録券を押し出して前記第２の搬送手段により一緒に搬送させる制御手段と、前記第２の搬送手段によって一緒に搬送される原券および記録券を回収する回収手段とを具備してなる。
【００１０】
請求項２記載のものは、原券を搬送する第１の搬送手段と、この第１の搬送手段によって搬送された原券に情報を記録して記録券とする記録手段と、この記録手段によって情報が記録された記録券を搬送する第２の搬送手段と、この第２の搬送手段によって搬送される記録券が詰まったときこの詰まりを検出する検出手段と、この検出手段が記録券の詰まりを検出したときは、前記第１の搬送手段から原券を搬送させて該原券により、前記詰まった状態にある記録券を押し出して前記第２の搬送手段により一緒に搬送させ、該搬送が所定時間内に実行されないときは、前記原券の搬送を繰り返し行わせる制御手段と、前記第２の搬送手段によって一緒に搬送される原券および記録券を回収する回収手段とを具備してなる。
【００１１】
請求項３記載のものは、原券を搬送する第１の搬送手段と、この第１の搬送手段によって搬送された原券に情報を記録して記録券とする記録手段と、この記録手段によって情報が記録された記録券を搬送する第２の搬送手段と、この第２の搬送手段によって搬送される記録券が詰まったときこの詰まりを検出する検出手段と、この検出手段が記録券の詰まりを検出したときは、前記第１の搬送手段から原券を搬送させて該原券により、前記詰まった状態にある記録券を押し出して前記第２の搬送手段により一緒に搬送させる制御手段と、前記第２の搬送手段によって一緒に搬送される原券および記録券を回収する回収手段と、この回収手段により前記原券および記録券を回収するまでの間を前記記録券の発行動作中としての表示する表示手段と具備してなる。
【００１２】
請求項４記載のものは、原券を搬送する第１の搬送手段と、この第１の搬送手段によって搬送された原券に情報を記録して記録券とする記録手段と、この記録手段によって情報が記録された記録券を搬送する第２の搬送手段と、この第２の搬送手段によって搬送される記録券が詰まったときこの詰まりを検出する検出手段と、この検出手段が記録券の詰まりを検出したときは、前記第１の搬送手段から原券を搬送させて該原券により、前記詰まった状態にある記録券を押し出して前記第２の搬送手段により一緒に搬送させる制御手段と、前記第２の搬送手段によって一緒に搬送される原券および記録券を回収する回収手段と、前記第２の搬送手段によって前記原券および記録券を一緒に回収することができないときは、動作異常として表示する表示手段と具備してなる。
【００１３】
請求項５記載のものは、原券を搬送する第１の搬送手段と、この第１の搬送手段によって搬送された原券に情報を記録して記録券とする記録手段と、この記録手段によって情報が記録された記録券を搬送する第２の搬送手段と、この第２の搬送手段によって搬送される記録券が詰まったときこの詰まりを検出する検出手段と、この検出手段が記録券の詰まりを検出したときは、前記第１の搬送手段から原券を搬送させて該原券により、前記詰まった状態にある記録券を押し出して前記第２の搬送手段により一緒に搬送させる制御手段と、前記第２の搬送手段によって一緒に搬送される原券および記録券を回収する回収手段とを具備し、前記原券および記録券の回収後、連続的に前記第１の搬送手段から原券を搬送し、この原券に前記詰まった記録券に記録した情報と同一の情報を記録して発行する。
【００１４】
請求項６記載のものは、原券を搬送する第１の搬送工程と、この第１の搬送工程によって搬送された原券に情報を記録して記録券とする記録工程と、この記録工程によって情報が記録された記録券を搬送する第２の搬送工程と、この第２の搬送工程によって搬送される記録券が詰まったときこの詰まりを検出する検出工程と、この検出工程が記録券の詰まりを検出したときは、前記第１の搬送工程から原券を搬送させて該原券により、前記詰まった状態にある記録券を押し出して前記第２の搬送工程により一緒に搬送させる制御工程と、前記第２の搬送工程によって一緒に搬送される原券および記録券を回収する回収工程とを具備してなる。
【００１５】
請求項７記載のものは、第１および第２の券を供給する供給手段と、この供給手段により供給される前記第１及び第２の券を搬送する搬送手段と、前記供給手段を駆動し前記第１の券を前記搬送手段に供給させる第１の制御手段と、前記搬送手段上に設けられ、前記搬送手段による前記第１の券の搬送状態を検知する検知手段と、この検知手段により、前記搬送手段により前記第１の券が搬送されず前記搬送手段上に第１の券が詰まったことを検出する検出手段と、この検出手段により前記第１の券が詰まったことを検出したとき、前記搬送手段上に詰まっている前記第１の券を押し出すために、前記供給手段を駆動し、前記第２の券を前記搬送手段に供給させる第２の制御手段とを具備する。
【００１６】
請求項８記載のものは、第１および第２の券を供給する供給手段と、この供給手段により供給される前記第１及び第２の券を搬送する搬送手段と、この搬送手段上に設けられ、前記第１及び第２の券に情報を記録する記録手段と、前記供給手段を駆動し前記第１の券を前記搬送手段に供給させる第１の制御手段と、前記搬送手段上に設けられ、前記搬送手段による前記第１の券の搬送状態を検知する検知手段と、この検知手段により、前記搬送手段により前記第１の券が搬送されず前記搬送手段上に第１の券が詰まったことを検出する検出手段と、この検出手段により前記第１の券が詰まったことを検出したとき、前記搬送手段上に詰まっている前記第１の券を押し出すために、前記供給手段を駆動し、前記第２の券を前記搬送手段に供給させる第２の制御手段と、この第２の制御手段により供給された前記第２の券に対しては前記記録手段の駆動を抑止制御する第３の制御手段とを具備してなる。
【００１７】
本発明は、記録券が搬送系で詰まった場合には、原券を発行して該原券により、前記記録券を押し出して一緒に搬送し、回収部に回収する。これにより、係員の作業なしに詰まった記録券の除去を可能とする。
【００１８】
また、原券と詰まった記録券を回収部に回収したのちは、詰まった記録券に記録した情報と同一の情報を原券に記録して連続的に発行することにより、記録券が詰まった場合でも、稼働を中断させることなく、記録券を発行できるようにする。
【００１９】
【発明の実施の形態】
以下、本発明を図面に示す一実施の形態を参照して説明する。
図２〜図４は、券類処理装置としての自動券発行機を示す概略図である。
図中１は装置本体で、この装置本体１内には図１にも示すようにロール紙２を装填する第１および第２の装填部２Ａ，２Ｂが設けられている。これら第１および第２の装填部２Ａ，２Ｂに装填されたロール紙２はその先端部から引き出されて搬送路３ａ，３ｂに沿って搬送され、この搬送路３ａ，３ｂは搬送路３を介して装置本体１の前面上部側に設けられた券出入口１１に接続されている。
【００２０】
搬送路３ａ，３ｂ中には、ロール紙２の搬送方向に沿ってロール紙２を送り出すための送出手段としてのフィードローラ４ａ，４ｂ（図５に示すように）、このフィードローラ４ａ，４ｂにより送り出されたロール紙２を搬送する第１および第２の搬送ローラ対５，６が配設されている。搬送路３中には第１および第２の搬送ローラ対５，６により送られるロール紙２をさらに搬送する第１の搬送手段としての第３の搬送ローラ対８、この第３の搬送ローラ対８により搬送されるロール紙２を所定の長さにカットする切断手段としてのカッタ部７さらに、このカッタ部７によりカットされた券紙の表面側に情報を印字する記録手段としてのサーマルヘッド９およびこのサーマルヘッド９に対向するプラテンローラ９ａが配設されている。
【００２１】
また、搬送路３中のサーマルヘッド９の下流側にはエンコードが開始される券紙の先端部を検出する第１のセンサ１０、カットされて搬送される券紙に情報を磁気記録する記録手段としての書込磁気ヘッド１５、券紙の磁気情報を読み取る読取磁気ヘッド１６、エンコードが終了された券紙を検出する第２のセンサ１３、さらに券紙を排出する搬出ローラ１７および出入される券紙を検出する出入検出センサ１４が設けられている。
【００２２】
また、第２のセンサ１３の下流側には回収手段を構成する廃棄用搬送路１９が接続され、その接続部には券紙の搬送方向を切り替えるゲート２０が設けられている。廃棄用搬送路１９の排出側には廃券を回収する廃券箱２２が設けられ、この廃券箱２２の隣側部には払い戻し券を回収する払戻券箱２３が設けられている。
【００２３】
また、装置本体１内にはフィードローラ４ａ，４ｂと第１および第２の搬送ローラ対５，６を回転駆動させるロール紙搬送用の駆動モータ３１、第３の搬送ローラ対８、プラテンローラ９ａを回転駆動させる印字搬送用の駆動モータ３２、さらに書込および読取の各磁気ヘッド１５，１６における第２の搬送手段としての搬送ベルト１８（図６に示す）を走行させるエンコード搬送用の駆動モータ３３、およびカッタ部７を動作させるカッタ駆動用の駆動モータ３４、さらに、廃棄用搬送路１９の搬送ベルト３６（図６に示す）を走行させる回収用の駆動モータ３５が配設されている。
【００２４】
また、搬送路３ａ，３ｂ中には、ロール紙２の送り方向に沿って、ロール紙２のエンドを検出するエンド検知センサ４１ａ，４１ｂ、ロール紙２の挿入を検知する挿入検知センサ４２ａ，４２ｂ、ロール紙２のセットを検出するセット検知センサ４３ａ，４３ｂが配設されている。
【００２５】
さらに、搬送路３中には、ロール紙２のフィードを検知するフィード検知センサ４４、ヘッド９への到達を検知する到達検知センサ４５が配設されている。
廃棄搬送路１９中には、回収される券紙を検知する回収検知センサ４６が設けれている。
【００２６】
図３は装置本体１の反接客面側を示すもので、この反接客面側には図５にも示すように操作部２５が設けられている。操作部２５には白紙券ボタン２６、パターン印刷ボタン２７、予備ボタン２８などが配設されている。
【００２７】
図４は装置本体１の接客面側を示すもので、この接客面側には発券動作中あるいは券詰まりの異常が発生したことなどを表示するための表示部３８が設けられている。
【００２８】
次に、発券動作について説明する。
まず、装填部２Ａ（２Ｂ）にロール紙２をセットし、その先端部を引き出して、フィードローラ４ａ（４ｂ）に掛け渡し、フィードローラ４ａ（４ｂ）の回転により繰出す。この繰出されたロール紙２は搬送ローラ対５（６）の回転により搬送路３ａ（３ｂ）に沿って送られ、その先端側がセンサ４５によって検知されると、フィードローラ４、第１および第２の搬送ローラ対５，６の回転が停止される。この停止により、ロール紙２は定位置に停止される。この位置に停止されたロール紙２は乗車券を発行する場合にはカット部７で３０mmの券長でカットされ、カット部７でカットされた券紙（原紙）はサーマルヘッド９とプラテンローラ９ａとの間に導入されてその表面側に駅名、区間、料金などの各種の情報が印字される。このように印字されたのち、券紙（記録券）は書込磁気ヘッド１５へ送られてその裏面側に情報が磁気記録され、ついで、読取磁気ヘッド１６に送られて磁気記録された情報が読み取られてその内容の確認が行われる。この磁気読取用ヘッド１６による確認の結果が正しければ、券紙は券出入口１１に搬送されて排出される。磁気読取用ヘッド１６による確認の結果が正しくなければ、券紙はゲート２０を介して廃棄用搬送路１９に送られ、廃券として廃券箱２２へ回収される。
【００２９】
また、払い戻しや、取消しのため、旧券を処理する場合は、券出入口１１より旧券を投入し、読取磁気ヘッド１６により磁気情報を読取った後、必要に応じて書込磁気ヘッド１５により磁気の書換え（又は消磁）を行ったのち、廃棄用搬送路１９を介して廃券箱２２に回収する。
【００３０】
ところで、上記第１および第２のセンサ１０，１３には信号路１０ａ，１３ａを介して第１乃至第３の制御手段としての制御部５１が接続され、上記した券発行動作時において、印刷部あるいはエンコード部で券が詰まったときは、制御部５１により券の排除指令が出されるようになっている。
【００３１】
すなわち、制御部５１はサーマルヘッド９を通過した券紙（記録券）が所定時間経過しても第１のセンサ１０によって検出されないときは印刷部で、また、サーマルヘッド９を通過した券紙が第１のセンサ１０によって検出されたのち、所定時間経過しても第２のセンサ１３により検出されないときは、エンコード部でそれぞれ券詰まりが発生したと判断する。
【００３２】
制御部５１は印刷部で券紙が詰まったと判断したときは、その０．５秒後にカッタ駆動用の駆動モータ３４および印刷搬送用の駆動モータ３２を駆動させ、また、エンコード部で券紙が詰まったと判断したときは、同じく０．５秒後にカッタ用の駆動モータ３４および印刷搬送用の駆動モータ３２さらに、エンコード搬送用の駆動モータ３３をそれぞれ駆動させるようになっている。
【００３３】
さらに、このとき、制御部５１はサーマルヘッド９及び書込磁気ヘッド１５の駆動を抑制するようになっている。
しかして、上記した券発行動作時において、印刷部あるいはエンコード部で券が詰まったときは、カッタ用の駆動モータ３４の駆動によりカッタ７が動作し、ロール紙２を所定寸法にカットする。この券紙はサーマルヘッド９で印字されることなく、白紙状態のままで搬送路３に沿って搬送され、この白紙券（原券）は詰まっている券紙（記録券）に当接してこれを押し出す。この押し出された券紙は白紙券とともに一緒に搬送されたのちゲート２０により廃棄搬送路１９へ送られ、廃券箱２２に回収される。
【００３４】
なお、このとき白紙券が詰まっている券紙を押し出すことができなかった場合には、再度、白紙券を発行して詰まっている券紙を押し出す。この白紙券の発行動作中は表示部３８に発券動作中のメッセージが表示されるようになっている。
【００３５】
このように、白紙券を発行させて詰まった券紙を廃券箱２２に回収させたのちは、搬送路３の正常な状態を確認した後、１秒後に、予め記録しておいた異常になってしまった券紙の情報と同一の情報を再度、券紙の情報として再現し発行させる。
【００３６】
なお、万が一、白紙券の発行を繰り返しても、詰まっていた券を除去出来なかった場合には、その状態でのセンサ情報、動作結果を制御ＡＰＬに送出する。この送出時には、表示部３８に発券動作が異常であるとのメッセージが表示される。
【００３７】
図７は印刷終了からエラーを検出するプログラム部分のフローチャートを示すものである。
まず、供給された券紙にサーマルヘッド９により、所定の事項を印刷する（ステップＳＴ１）。ついで、印刷ラインが終了したか否かが判別され（ステップＳＴ２）、終了していなければステップＳＴ１に戻り、終了していれば第１のセンサ１０が暗状態になったか否かが判別される（ステップＳＴ３）。第１のセンサ１０が暗にならなければ、カッタ用の駆動モータ３４がオンし（ステップＳＴ４）、ついで、リトライカウンタがオーバか否かが判別される（ステップＳＴ５）。リトライカウンタがオーバのときは、第１のセンサ１１に券紙が到達しないという印刷部におけるエラーレスポスが送り出される（ステップＳＴ６）。オーバでない場合には、第３の制御手段としての制御部５１において、サーマルヘッド９及び書込磁気記録ヘッド１５の駆動を抑制し、印刷及び磁気記録されていない券（白券）を供給部としての第１及び第２の装填部２Ａ，２Ｂより搬送ローラ８側に供給され（ステップＳＴ７）、白券の発行回数がカウントされ（ステップＳＴ８）たのち、リジェクトが正常に終了したか否かが判別され（ステップＳＴ９）、終了しなければ、ステップＳＴ４に戻り、終了していれば１秒後（ステップＳＴ９）に、正常券を発行する（ステップＳＴ１０）。
【００３８】
一方、ステップＳＴ３で第１のセンサ１０が暗であれば、ジャムタイマが１秒セットされ（ステップＳＴ１２）、ついで、第１のセンサ１０が明か否かが判別され（ステップＳＴ１３）、明であれば正常発行される（ステップＳＴ１４）。明でなければ、ジャムタイマーがオーバか否かが判別され（ステップＳＴ１５）、タイムオーバでなければ、ステップＳＴ１３に戻る。タイムオーバであれば、リトライカウンタがオーバか否かが判別される（ステップＳＴ１６）。オーバであれば、エンコード部におけるエラーレスポンスが送り出される（ステップＳＴ１７）、オーバでなければ、白券が発行され（ステップＳＴ１８）、その発行回収がリトライカウンタによりカウントされ（ステップＳＴ１９）、リジェクトが正常に終了したか否かが判別される（ステップＳＴ２０）。正常に終了しなければステップＳＴ１６に戻り、終了していれば、１秒後（ステップＳＴ２１）に、正常券を発行する（ステップＳＴ２２）。
【００３９】
【発明の効果】
本発明は以上説明したように、記録券が詰まった場合には、原券を発行して前記記録券を押し出して一緒に搬送し、回収部に回収するから、係員の作業なしに詰まった記録券の除去ができ、作業効率が優れる。
【００４０】
また、原券と詰まった記録券を回収部に回収したのちは、詰まった券に記録された情報と同一の情報を原券に記録して連続的に発行するから、稼働を中断させる必要がなく、処理効率を向上できる。
【００４１】
また、券詰まりが発生した時には、原券を発行することにより、搬送路中の検出手段にかからない部分での券詰まりの位置を確実に把握することが可能である。
【図面の簡単な説明】
【図１】本発明の一実施の形態である券発行機の内部構成を示す図。
【図２】券発行機を示す全体構成図である。
【図３】券発行機の反接客面側を示す図。
【図４】券発行機の接客面側を示す図。
【図５】ロール紙の送出部を示す斜視図。
【図６】券発行機内のセンサの配置構成を示す図。
【図７】発券動作時の動作を示すフローチャート図。
【符号の説明】
８…搬送ローラ（第１の搬送手段）
９…サーマルヘッド（記録手段）
９ａ…プラテンローラ（第２の搬送手段）
１０…第１の検出センサ（検出手段）
１３…第２の検出センサ（検出手段）
１５…書込磁気記録ヘッド（記録手段）
１８…搬送ベルト（第２の搬送手段）
１９…廃棄搬送路（回収手段）
２２…廃棄箱（回収手段）
３６…廃棄用搬送ベルト（回収手段）
３８…表示手段
５１…制御手段
【図１】
0003782182.tif 000002
【図２】
0003782182.tif 000003
【図３】
0003782182.tif 000004
【図４】
0003782182.tif 000005
【図５】
0003782182.tif 000006
【図６】
0003782182.tif 000007
【図７】
0003782182.tif 000008